(57)【要約】  宝石のトレーサビリティを管理し、耐改ざん性、透明性を高め、電子的な証明書の真正性を担保できる手法を提供することを課題とする。  生成部１０１は、ダイヤモンドＤのトレーサビリティを証明し得る１以上のデータとしての契約書、発注書、リスト、研磨前の原石、原石研磨プラン、研磨後のダイヤモンドの状態を示すデータ、及び鑑定書データの夫々のハッシュ値Ｈを生成する。ウェブ管理部１０３は、トレーサビリティビューアＷを管理する。表示制御部１０４は、１以上のデータにアクセスするためのＱＲコード（登録商標）をトレーサビリティビューアＷに表示させる制御を実行する。また、生成部１０１により生成された１以上のハッシュ値Ｈの夫々が、識別可能となるように１以上のデータの夫々に対応付けられてブロックチェーンＢにおいて管理される。これにより、上記の課題を解決する。
2021095795.tif 000002
【特許請求の範囲】
【請求項１】
宝石のトレーサビリティを証明し得る１以上のデータの夫々のハッシュ値を生成する生成手段と、
前記１以上のデータにアクセスするための情報を所定のウェブページに表示させる制御を実行する表示制御手段と、
を備え、
前記生成手段により生成された前記１以上のハッシュ値の夫々が、識別可能となるように前記１以上のデータの夫々に対応付けられて通信ネットワークにおいて管理される、
情報処理装置。
【請求項２】
前記生成手段は、前記宝石のトレーサビリティを証明し得るデータとして、前記宝石の仕入れ、研磨、製造、輸入、及び販売の夫々の内容を示すデータを生成し、
前記ハッシュ値の識別がブロックチェーン技術分散台帳を用いて行われる、
請求項１に記載の情報処理装置。
【請求項３】
前記所定のウェブページの利用者間における前記宝石に関する取引の支援を行う取引支援手段をさらに備える、
請求項１又は２のうちいずれか１項に記載の情報処理装置。
【発明の詳細な説明】
【技術分野】
【０００１】
本発明は、情報処理装置に関する。
【背景技術】
【０００２】
従来より、ダイヤモンドは、非常に高価な商品であるため、悪意ある者による鑑定書の偽造等の問題が生じている。
そこで、ダイヤモンドの販売業者は、仕入れから販売まで、ダイヤモンドが真正品か否かを含めた品質を保証することを証明した証明書を発行する。
このため、ダイヤモンド及び他の原石を検証し、ラベリングし、かつレーティングするための処理方法に関する技術も提案されている（例えば、特許文献１参照）。
【先行技術文献】
【特許文献】
【０００３】
【特許文献１】特開２００７−０１２０７３号公報
【発明の概要】
【発明が解決しようとする課題】
【０００４】
しかしながら、上述の特許文献１に記載の技術を含む従来技術のみでは、あくまでもダイヤモンドをレーティング等するための処理方法に言及されているだけであり、上述の証明書の偽造に対する対策について何ら言及されていない。【０００５】
本発明は、このような状況を鑑みてなされたものであり、宝石のトレーサビリティを管理して、耐改ざん性、透明性を高め、電子的な証明書の真正性を担保することを目的とする。
【課題を解決するための手段】
【０００６】
上記目的を達成するため、本発明の一態様の情報処理装置は、
宝石のトレーサビリティを証明し得る１以上のデータの夫々のハッシュ値を生成する生成手段と、
前記１以上のデータにアクセスするための情報を所定のウェブページに表示させる制御を実行する表示制御手段と、
を備え、
前記生成手段により生成された前記１以上のハッシュ値の夫々が、識別可能となるように前記１以上のデータの夫々に対応付けられて通信ネットワークにおいて管理される。
【発明の効果】
【０００７】
本発明によれば、宝石のトレーサビリティを管理して、耐改ざん性、透明性を高め、電子的な証明書の真正性を担保することができる。
【図面の簡単な説明】
【０００８】
【図１】本発明の情報処理装置の一実施形態に係るサーバが適用される情報処理システムより実現可能となる本サービスの概要を示す図である。
【図２】ダイヤモンドが生産されてから消費者（ユーザ）に至るまでの一般的な流れと、本サービスとの関係を示す図である。
【図３】トレーサビリティビューアに表示されるＵＩのうち、証明書登録画面の一例を示す図である。
【図４】トレーサビリティビューアに表示されるＵＩのうち、証明書一覧画面の一例を示す図である。
【図５Ａ】トレーサビリティビューアに表示されるＵＩのうち、詳細情報画面の一例を示す図である。
【図５Ｂ】トレーサビリティビューアに表示されるＵＩのうち、詳細情報画面の一例を示す図である。
【図５Ｃ】トレーサビリティビューアに表示されるＵＩのうち、詳細情報画面の一例を示す図である。
【図６】本サービスに登録されたダイヤモンドの販売の流れを示す図である。
【図７】従来のダイヤモンドの流通ルートと、本サービスに登録されたダイヤモンドの流通ルートとを比較した図である。
【図８】トレーサビリティビューアを用いたトランザクションＩＤの照合の手法の具体例を示す図である。
【図９】本発明の情報処理装置の一実施形態に係るサーバを含む、情報処理システムの構成の一例を示す図である。
【図１０】図９に示す情報処理システムのうちサーバのハードウェア構成の一例を示すブロック図である。
【図１１】図１０のサーバの機能的構成のうち、トレーサビリティ管理処理を実行するための機能的構成の一例を示す機能ブロック図である。
【発明を実施するための形態】
【０００９】
以下、本発明の実施形態について、図面を用いて説明する。
【００１０】
まず、図１及び図２を参照して、本発明の情報処理装置の一実施形態に係るサーバ１が適用される情報処理システム（後述する図９参照）により実現可能となるサービス（以下、「本サービス」と呼ぶ）の概要について説明する。
【００１１】
図１は、本発明の情報処理装置の一実施形態に係るサーバが適用される情報処理システムより実現可能となる本サービスの概要を示す図である。
【００１２】
本サービスは、サービス提供者Ｇにより管理されるサーバ１が適用される情報処理システムにより実現可能なサービスである。サービス提供者Ｇは、ブロックチェーンＢの技術を利用して、ダイヤモンドＤのトレーサビリティを管理する。また、サービス提供者Ｇは、本サービスを利用するユーザＵにダイヤモンドＤを販売することもできる。
ここで、「トレーサビリティ」とは、ダイヤモンドＤの流通経路を生産段階から最終消費段階あるいは廃棄段階まで追跡が可能な状態のことをいう。トレーサビリティが確保されていれば、サプライチェーンの履歴を証明することができる。
サービス提供者Ｇは、ダイヤモンドＤの産地から仕入、研磨、製造、輸入、及び販売の夫々を証明する１以上の証明書を電子データ（以下、「トレーサビリティデータ」と呼ぶ）としてブロックチェーンＢに記憶させて管理する。トレーサビリティデータとして管理される証明書には、例えば契約書、発注書、リスト、研磨前の原石のイメージ画像、原石研磨プランのイメージ画像、研磨後のダイヤモンドのイメージ画像、鑑定書等が含まれる。
【００１３】
ダイヤモンドＤは経年変化しないため、たとえダイヤモンドＤを鑑定機関に持ち込んだとしても、そのダイヤモンドＤが新品であるか中古であるかを判別することはできない。このため、貴金属買取店やジュエリー店等にダイヤモンドＤの製品が買い取られると、ダイヤモンドＤの製品から金属部分が取り外されて、ダイヤモンドＤだけが卸売市場で再販される。その後、ダイヤモンドＤは、元々の素性が不明のまま、ダイヤモンド市場において新品扱いで再流通される。このため、例えば遺品整理で買い取られたダイヤモンドＤの製品（例えば指輪）からダイヤモンドＤが取り外されて、製品化後に新品の指輪として百貨店等で販売されていたとしても判別することができない状況にある。
【００１４】
ここで、ダイヤモンドＤには、様々な種類のものが存在する。例えば、いわゆる天然ダイヤモンド、紛争ダイヤモンド、鑑定偽造ダイヤモンド、二次流通（加工）ダイヤモンド、ラボ・グロウンダイヤモンド（合成ダイヤモンド）等が存在する。
このうち、天然ダイヤモンドとは、出所が明らかであり、情報を産地まで遡ることができるものをいう。紛争ダイヤモンドとは、内戦が行われている地域で産出されたもののうち、紛争当事者の資金源となっているものをいう。なお、紛争ダイヤモンドは取引が禁止されている。鑑定偽造ダイヤモンドとは、鑑定書が偽造されたものをいう。二次流通（加工）ダイヤモンドとは、いわゆる質流れ品を再利用（再研磨及びリカット）したものや、鑑定書が存在するため品質は確認できるが、産地が特定できないものをいう。ラボ・グロウンダイヤモンド（合成ダイヤモンド）とは、天然ダイヤモンドと実質的に同じ化学組成、結晶構造、物理的特性を有するため偽物ではないが、天然ではないものをいう。
【００１５】
本サービスによれば、ダイヤモンドＤに関する各種の証明書がトレーサビリティデータとしてブロックチェーンＢに記憶されて管理される。これにより、個々のダイヤモンドＤがどのような種類（天然、合成等）に属するのかを容易に確認することが可能となる。その結果、ダイヤモンドＤの種類（天然、合成等）に応じて付加価値を付けることができるので、ダイヤモンドＤ特有の本来の相場観を取り戻すことができる。
さらに、本サービスによれば、鑑定書の偽造を防ぐことができるので、本サービスの利用者であるユーザＵは、信頼できる確かな情報を取得することができる。その結果、ユーザＵは、ダイヤモンドＤ毎の付加価値を考慮して、任意の種類のダイヤモンドＤを選択して購入することが可能となる。
【００１６】
また、ブロックチェーンＢに記憶されて管理されることで、取引履歴が改竄されない、データ喪失しないといったメリットを享受することができる。さらに、根拠情報が担保されるので、ダイヤモンドＤの価値の保全、取引コストの削減、契約内容の保全、保険等の支払コストの削減、証券化等の流動化等、多種多様なメリットを享受することができる。
なお、本サービスにおいて、証明書の登録、更新、及び削除についての即時性は特に求められない。このため、ブロックチェーンＢとして、自由参加型のパブリックチェーンが採用される。パブリックチェーンによれば、公的証明の担保や、強力な耐改ざん性といった面でメリットを享受することができる。
【００１７】
ここで、例えばブロックチェーンＢを用いることなく、既存の手法（ソフトウェアによるデータ管理）によりダイヤモンドＤの取引履歴の共有化を図ったとする。この場合、例えば以下のような問題が生じる。即ち、（１）１件のデータ毎に更新者を限定することができない、（２）編集権限を有する者でも個別単位でデータを編集することができない、といった問題が生じる。
これに対して、ブロックチェーンＢを利用した場合には、上記の問題が生じない。このような点からも、本サービスにおいてブロックチェーンＢが採用されている技術的意義を見出すことができる。
【００１８】
ここで、本サービスでブロックチェーンＢにトレーサビリティデータとして記録されて管理される各種の証明書の有効性について説明する。従来の紙媒体の証明書は、法律の規定（例えば民訴法第２２８条第４項）や判例により、署名・捺印によって真正性が担保される。これに対して、電子データ形式の証明書は、一般的に信頼できる認証局による真正性の確認が必要となる。そして、その「真正性」を担保するためには、次の条件を満たす必要がある。即ち、（１）本人による署名・捺印に該当する行為が電子データに付与できること、（２）発行した証明書の改ざんや変更ができないこと、（３）証明書の発行者が唯一発行元のみであること、という条件を満たす必要がある。
これに対して、本サービスでは、ブロックチェーンＢがトレーサビリティデータを生成し、トレーサビリティビューアＷがトレーサビリティデータを表示可能にするので、上記の条件を満たすことができる。即ち、本サービスでトレーサビリティデータとして管理される各種の証明書は「真正性」が担保される。
【００１９】
ユーザＵは、本サービスを利用する場合、ユーザ端末２のブラウザ機能により表示される、本サービスの利用を可能とする専用のウェブサイト（以下、「トレーサビリティビューアＷ」と呼ぶ）にアクセスする。
以下、「ユーザＵがユーザ端末２を操作する」とは、ユーザＵがトレーサビリティビューアＷから本サービスを利用することを意味するものとする。
【００２０】
図１に示すように、例えばユーザＵがユーザ端末２を操作することで、ＥＣ（Ｅｌｅｃｔｒｏｎｉｃ  Ｃｏｍｍｅｒｃｅ）サイトを利用してダイヤモンドＤの商品を購入したとする（ステップＳＳ１）。すると、サーバ１とブロックチェーンＢにおいて以下の処理が実行される。
即ち、サーバ１は、ブロックチェーンＢに対して、ダイヤモンドＤの購入の事実を証明するための各種の証明書の作成を依頼する（ステップＳＳ２）。また、サーバ１は、ダイヤモンドＤの購入者としてのユーザＵから購入代金の振込みがあったかどうかの確認を依頼する（ステップＳＳ３）。
ブロックチェーンＢは、ダイヤモンドＤの商品の受け渡しがあったことを証明する証明書（例えば製品受渡証明書）を作成して、ユーザＵに報知する（ステップＳＳ４）。
その後、ブロックチェーンＢは、作成した各種の証明書をサーバ１に報知する（ステップＳＳ５）。
また、ブロックチェーンＢは、購入代金の振込みがあったかどうかの確認結果をサーバ１に報知する（ステップＳＳ６）。
【００２１】
図２は、ダイヤモンドが生産されてから消費者（ユーザ）に至るまでの一般的な流れと、本サービスとの関係を示す図である。
【００２２】
図２に示すように、ダイヤモンドＤが生産されると、そのダイヤモンドＤに関する情報がトレーサビリティデータとして本サービスに登録される（ステップＳＳ２１）。以下、「本サービスに登録」とは、ブロックチェーンＢに記憶されて管理される対象になることを意味するものとする。
本サービスに登録されたダイヤモンドＤは、製造加工段階（ステップＳＳ２２）、流通段階（ステップＳＳ２３）、小売段階（ステップＳＳ２４）を経て消費者（ユーザＵ）に購入される（ステップＳＳ２５）。
本サービスは、ステップＳＳ２１の生産段階からステップＳＳ２５の消費者に購入される段階までの一連のフローを随時管理している。このため、例えば図２に示すように、流通段階（ステップＳＳ２３）で何らかの問題が発覚（例えば不良品の発覚）した場合には、その後の小売段階（ステップＳＳ２４）と、消費者（ユーザＵ）の段階（ステップＳＳ２５）とにおけるルートの追跡と、ダイヤモンドＤの製品の回収とを速やかに行うことが可能になる。またそれと同時に、製造加工段階（ステップＳＳ２２）と、生産段階（ステップＳＳ２１）とに遡ることで、問題の原因の究明を速やかに行うことが可能になる。これにより、発生した問題による影響を最小限に止めることができるとともに、直ちに再発防止の対策を講じることができる。
【００２３】
ここで、生産段階（ステップＳＳ２１）から消費者（ユーザＵ）の段階（ステップＳＳ２５）に至るまでの各段階でトレーサビリティデータとして生成される各種の証明書の具体例について説明する。なお、ここでは、Ｒ国で産出されたダイヤモンドＤが、本サービスで提供可能なオークションに出品されるものとする。
まず、生産段階（ステップＳＳ２１）では、Ｒ国でダイヤモンドＤが産出されると、そのダイヤモンドＤに関する情報が、Ｒ国で管理されている所定のリスト（以下、「Ｒ国管理リスト」と呼ぶ）に記録される。その後、ダイヤモンドＤがオークションに出品されると、Ｒ国管理リストに記録されている情報がトレーサビリティデータとして本サービスに登録される。
ダイヤモンドＤがオークションで落札されると、落札者と出品者との間で契約が締結される。そして、作成された契約書や発注書といった各種の証明書がトレーサビリティデータとして本サービスに登録される。
【００２４】
製造加工段階（ステップＳＳ２２）では、ダイヤモンドＤの研磨前の原石のイメージ画像のデータが生成される。生成されたデータは、トレーサビリティデータとして本サービスに登録される。
また、製造加工段階（ステップＳＳ２２）では、加工後のイメージが決まると、ダイヤモンドＤの原石をどのように研磨するのかを立体的に描画した原石研磨プランのイメージ画像が生成される。生成されたデータは、トレーサビリティデータとして本サービスに登録される。
また、製造加工段階（ステップＳＳ２２）では、研磨後のダイヤモンドＤのイメージ画像のデータが生成される。生成されたデータは、トレーサビリティデータとして本サービスに登録される。
【００２５】
また、流通段階（ステップＳＳ２３）では、ダイヤモンドＤが海外に輸出されると、海外輸出用の各種の証明書が作成される。海外輸出用の証明書としては、例えばインボイス、キンバリー・プロセス証明書（不正に取得されたダイヤモンドＤの原石の輸出入を規制することを目的とした国際的な証明書）、税関関連書類等が挙げられる。作成された海外輸出用の各種の証明書は、いずれもトレーサビリティデータとして本サービスに登録される。
また、ダイヤモンドＤに対して、所定の宝石研究機関による鑑定が行われると、鑑定結果を証明する鑑定書が作成されて発行される。発行された鑑定書は、トレーサビリティデータとして本サービスに登録される。
ここで、各段階で作成される各種の証明書は、上述のように生成されたタイミングでブロックチェーンＢに記憶させてもよいし、すべての証明書が揃ったことが確認されたタイミングで、一括で記憶させてもよい。
【００２６】
次に、図３乃至図５Ｃを参照して、トレーサビリティビューアＷに表示されるＵＩ（Ｕｓｅｒ  Ｉｎｔｅｒｆａｃｅ）の具体例ついて説明する。
【００２７】
図３は、トレーサビリティビューアに表示されるＵＩのうち、証明書登録画面の一例を示す図である。
【００２８】
上述したように、ユーザＵは、図２に示す各段階で生成された各種の証明書をトレーサビリティデータとして本サービスに登録するが、具体的には、図３の証明書登録画面から各種の証明書の登録を行う。
【００２９】
図３に示すように、証明書登録画面は、表示領域Ｆ１及びＦ２を含むように構成されている。このうち、表示領域Ｆ１には、登録の対象となる証明書に付与されるシリアル番号と、流通区分とが表示される。流通区分は、ダイヤモンドＤがどのような状態で流通されているのかを示す区分である。なお、図３の例では、流通区分が「原石」とされている。
証明書登録画面のうち、表示領域Ｆ２には、登録の対象となる証明書を選択できる入力欄が表示される。具体的には、契約書、発注書、リスト、研磨前の原石のイメージ画像、原石研磨プランのイメージ画像を含む各種の証明書のうち１以上を選択できる入力欄が表示される。
なお、図３には、証明書登録画面の一部のみが示されている。即ち、証明書登録画面には、上述の図２に示す各段階で作成された各種の証明書を、トレーサビリティデータとして本サービスに登録するための各種各様の入力欄を表示させることができる。
【００３０】
図４は、トレーサビリティビューアに表示されるＵＩのうち、各種の証明書に関する情報を一覧表示させた画面（以下、「証明書一覧画面」と呼ぶ）の一例を示す図である。
【００３１】
本サービスでは、トレーサビリティデータとして本サービスに登録された各種の証明書に関する情報を一覧表示させることができる。具体的には例えば、契約書、発注書、リスト、研磨前の原石のイメージ画像、原石研磨プランのイメージ画像、研磨後のダイヤモンドのイメージ画像、及び鑑定書等の各種の証明書等の情報を一覧表示させることができる。
証明書一覧画面には、例えば図４に示すように、証明書のデータのＩＤ、シリアル番号、トランザクションＩＤ、証明書のデータの作成者、最終更新者、更新日、作成日が一覧表示される。また、「コード」と表記されたボタンＢ１と、「参照」と表記されたボタンＢ２と、「編集」と表記されたボタンＢ３とが証明書毎に表示される。
このうち、ボタンＢ１が押下されると、証明書の詳細情報にアクセス可能な識別子（例えばＱＲコード（登録商標））が表示される。ボタンＢ２が押下されると、証明書の詳細情報が表示される。なお、証明書の詳細情報の具体例については、図５Ａ乃至Ｃを参照して後述する。ボタンＢ３が押下されると、証明書一覧画面に表示された情報の編集を行うことができる。また、欄外に配置された「新規作成」と表示されたボタンＢ４を押下することで証明書を新たに追加することができる。
【００３２】
図５Ａ乃至Ｃは、トレーサビリティビューアに表示されるＵＩのうち、証明書の詳細情報を表示した画面（以下、「詳細情報画面」と呼ぶ）の一例を示す図である。
【００３３】
図５Ａ乃至Ｃの夫々には、トレーサビリティデータとして登録されている、契約書、研磨前の原石のイメージ画像、原石研磨プランのイメージ画像の夫々の詳細情報画面の例が示されている。
図５Ａ乃至Ｃに示すように、詳細情報画面には、トランザクションＩＤと、ファイルハッシュ値と、改ざんチェックの結果と、証明書の画像データとが表示される。
トランザクションＩＤは、ブロックチェーンＢに記録される際に付与されるＩＤである。ファイルハッシュ値は、対象となる証明書の画像データのファイルハッシュ値である。
改ざんチェックの結果には、詳細情報画面に表示された証明書の画像データに対する改ざんの有無に関するチェックの結果が表示される。証明書の画像データの改ざんの有無のチェックは、ファイルハッシュ値の検証結果に基づいて行われる。なお、図５Ａ乃至Ｃに示す例では、改ざんチェックのチェック欄にチェックが付されているので、改ざんされていないということになる。
【００３４】
次に、図６及び図７を参照して、本サービスに登録されたダイヤモンドＤの流通について説明する。
【００３５】
図６は、本サービスに登録されたダイヤモンドの販売の流れを示す図である。
【００３６】
図６に示すように、ユーザＵは、本サービスを利用することで、サービス提供者ＧからダイヤモンドＤを購入することができる。サービス提供者Ｇにより販売されるダイヤモンドＤに関するトレーサビリティデータは、すべてブロックチェーンＢに記録されて一元管理されている。このため、ユーザＵは、購入しようとするダイヤモンドＤを原石の段階から選択することができる。
具体的には例えば、ユーザＵは、トレーサビリティビューアＷでダイヤモンドＤの原石の研磨の様子を動画像で視聴することもできる。また、ダイヤモンドＤを購入したユーザＵは、トレーサビリティビューアＷでトレーサビリティデータをいつでも確認することができる。即ち、ユーザＵは、ダイヤモンドＤの製品の受け渡しが行われた後も、トレーサビリティビューアＷで証明書の内容を容易に確認することができる。その結果、例えばダイヤモンドＤの製品の金属部分のみが付け替えられて異なる製品に生まれ変わったとしても、その製品に使用されているダイヤモンドＤそのものは不変である。このため、個々のダイヤモンドＤのトレーサビリティの一元管理が可能となる。
【００３７】
図７は、従来のダイヤモンドの流通ルートと、本サービスに登録されたダイヤモンドの流通ルートとを比較した図である。
【００３８】
図７に示すように、世界各国のダイヤモンド鉱山から産出されたダイヤモンドＤは、従来の流通ルートで販売される場合には、ステップＳＳ３１乃至ＳＳ３７の各ステップを経て消費者（ユーザＵ）に提供される。
即ち、従来の流通ルートでダイヤモンドＤが販売される場合には、ダイヤモンドＤの生産者で構成された所定の組合による生産調整、所定の貿易会社による選別や分類、所定の販売組織による販売が行われる（ステップＳＳ３１）。
次に、研磨業者によるダイヤモンドＤの研磨が行われる（ステップＳＳ３２）。なお、図７に示すように、ステップＳＳ３１を経ることなく直ちにステップＳＳ３２に進むダイヤモンドＤもある。
研磨業者により研磨されたダイヤモンドＤは、世界中のダイヤモンド市場で取引される（ステップＳＳ３３）。これにより、ダイヤモンドＤは、ダイヤモンド輸入業者により各国に輸入される（ステップＳＳ３４）。
その後、製造業者やメーカが、ダイヤモンドＤの製品を製造すると（ステップＳＳ３５）、これが、卸売業者や問屋（ステップＳＳ３６）、小売店、デパート、国内ブランド企業（ステップＳＳ３７）を経て消費者（ユーザＵ）に提供される。
【００３９】
これに対して、本サービスの流通ルートでダイヤモンドＤが販売される場合には、研磨、商品企画、デザイン、ショールーム運営、インターネットによる通信販売、及びカスタマーサポートを、サービス提供者Ｇが一貫して行う。そして、消費者（ユーザＵ）にダイヤモンドＤの商品が提供される。
【００４０】
即ち、従来の流通ルートでダイヤモンドＤが販売される場合には、複数の中間業者を経て消費者に提供される。これに対して、本サービスの流通ルートによれば、ダイヤモンドＤの産出から消費者への提供までをサービス提供者Ｇが一貫して行う。その結果、ダイヤモンドＤの仕入や買い付け、研磨、製造、輸入、販売の履歴に関するトレーサビリティデータの一元管理が容易となる。
【００４１】
さらに、トレーサビリティデータがブロックチェーンＢに記録されて管理されるので、耐改ざん性、透明性を高めることができる。
図８は、トレーサビリティビューアを用いたトランザクションＩＤの照合の手法の具体例を示す図である。
【００４２】
パブリックチェーン（ブロックチェーンＢ）によれば、個人情報は非公開としつつ、トランザクションＩＤのみを所定のウェブサイトで照合することができる。
図８の左側には、トレーサビリティビューアＷに表示される詳細情報画面の一例が示されている。詳細情報画面の破線内には、トレーサビリティデータとしての証明書（原石研磨プランのイメージ画像）のトランザクションＩＤが表示されている。
図８の右側には、トランザクションＩＤを含むトランザクション情報をチェックできる所定のウェブサイトＹの一例が示されている。ウェブサイトＹの所定ページの破線内にはトランザクションハッシュ値が表示される。
ユーザＵは、ウェブサイトＹに表示されたトランザクションハッシュ値と、トレーサビリティビューアＷに表示されたトランザクションＩＤとを照合することができる。その結果、一管理者であっても、セキュアにトレーサビリティデータの真正性を担保することができる。
【００４３】
また、本サービスによれば、例えば以下のようなサービスを実現させることができる。
【００４４】
即ち、本サービスによれば、ユーザＵ間におけるダイヤモンドＤの譲渡を支援することができる。即ち、ダイヤモンドＤを所有しているユーザＵが他のユーザＵにダイヤモンドＤを譲渡する場合には、ブロックチェーンＢに記録されている所有者に関する情報の変更を行う。これにより、ユーザＵ間におけるダイヤモンドＤの取引の透明性を確保することができる。
具体的には例えば、以下のようにしてダイヤモンドＤの所有権の譲渡の支援が行われる。即ち、ダイヤモンドＤの譲渡者としてのユーザＵ１は、トレーサビリティビューアＷに所定の識別子（例えばユーザＩＤ）を入力することで譲受者となるユーザＵ２を選択する。ユーザＵ２は、トレーサビリティビューアＷにて取引の内容の確認と承認とを行う。ユーザＵ１は、トレーサビリティビューアＷにてユーザＵ２の承認と内容との確認を行う。そして、ユーザＵ１は、ダイヤモンドＤをユーザＵ２に引き渡す。その後、本サービスにおいて、ブロックチェーンＢに記録されているダイヤモンドＤの所有権に関する情報の変更が行われる。即ち、ダイヤモンドＤの所有権の帰属先が、ユーザＵ１からユーザＵ２に変更される。
【００４５】
また、本サービスにより提供されるトレーサビリティビューアＷには、ユーザＵ毎のマイページ（図示せず）を設けることができる。これにより、ユーザＵは、購入したダイヤモンドＤにまつわるメモリアル写真、動画像、静止画像、音声データ、手紙のイメージ画像等をマイページに自由に掲載することができる。また、ユーザＵは、マイページに掲載した写真や動画像等について、公開・非公開を任意に設定することができる。
【００４６】
また、宝飾品業界が抱える課題を本サービスにて解決するという趣旨に賛同する者からなる協会団体（コンソーシアム）を設立して、ブロックチェーンＢによるトレーサビリティ管理のプラットフォームを作ることができる。
【００４７】
また、ブロックチェーンＢに記録するトレーサビリティデータと、ダイヤモンドＤの現物とを対応付けた物理的証明が可能となる。具体的には、キンバリー・プロセス証明書を取得して、ダイヤモンドＤの現物に添付する。また、ダイヤモンドＤの原石の輸出入を密封された容器にて行う。この場合、密封する際に公的機関による証明を得る。また、所定国（ダイヤモンドＤの産出国）から購入された研磨済みのダイヤモンドＤ（ダイヤモンドルース）を開封せずに所定の宝石研究機関に持ち込み、シーリングを施す。その後、当該機関による鑑定が行われた際に付番された鑑定番号と、所定の研磨業者により付番されたルース番号とをダイヤモンドＤのガードル部分（ダイヤ上部と下部の境目）にレーザーで刻印する。
このような管理を徹底することで、ダイヤモンドＤの現物の入れ替えがないことを物理的に証明することが可能となる。さらに、その情報を記載した証明書をトレーサビリティデータとしてブロックチェーンＢで記録することで、トレーサビリティを厳密に一元管理することが可能となる。
【００４８】
次に、図９を参照して、上述した本サービスの提供を実現化させる情報処理システム、即ち本発明の情報処理装置の一実施形態に係るサーバ１を含む、情報処理システムの構成について説明する。
図９は、本発明の情報処理装置の一実施形態に係るサーバを含む、情報処理システムの構成の一例を示す図である。
【００４９】
図９に示す情報処理システムは、サーバ１と、ユーザ端末２を含むように構成されている。
サーバ１及びユーザ端末２は、インターネット等の所定のネットワークＮを介して相互に接続されている。
【００５０】
サーバ１は、サービス提供者Ｇにより管理される情報処理装置である。サーバ１は、ユーザ端末２と適宜通信をしながら、本サービスを実現するための各種処理を実行する。
【００５１】
ユーザ端末２は、ユーザＵにより操作される情報処理装置である。ユーザ端末２は、例えばパーソナルコンピュータ、スマートフォン、タブレット等で構成される。
【００５２】
図１０は、図９に示す情報処理システムのうちサーバのハードウェア構成の一例を示すブロック図である。
【００５３】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０とを備えている。
【００５４】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００５５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００５６】
入力部１６は、例えばキーボード等により構成され、各種情報を入力する。
出力部１７は、液晶等のディスプレイやスピーカ等により構成され、各種情報を画像や音声として出力する。
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（例えば図９のユーザ端末２）との間で通信を行う。
【００５７】
ドライブ２０には、磁気ディスク、光ディスク、光磁気ディスク、或いは半導体メモリ等よりなる、リムーバブルメディア４０が適宜装着される。ドライブ２０によってリムーバブルメディア４０から読み出されたプログラムは、必要に応じて記憶部１８にインストールされる。
また、リムーバブルメディア４０は、記憶部１８に記憶されている各種データも、記憶部１８と同様に記憶することができる。
【００５８】
なお、図示はしないが、図９のユーザ端末２も、図１０に示すハードウェア構成と基本的に同様の構成を有することができる。従って、ユーザ端末２のハードウェア構成についての説明は省略する。
【００５９】
このような図１０のサーバ１の各種ハードウェアと各種ソフトウェアとの協働により、サーバ１におけるトレーサビリティ管理処理を含む各種処理の実行が可能になる。その結果、サービス提供者は、ユーザＵに対して上述の本サービスを提供することができる。なお、「トレーサビリティ管理処理」とは、ダイヤモンドＤの仕入れ、研磨、製造、輸入、及び販売の夫々の内容を示すデータをブロックチェーンＢに記録して管理する処理のことをいう。
以下、サーバ１において実行される、トレーサビリティ管理処理を実行するための機能的構成について説明する。
【００６０】
図１１は、図１０のサーバの機能的構成のうち、トレーサビリティ管理処理を実行するための機能的構成の一例を示す機能ブロック図である。
【００６１】
図１１に示すように、サーバ１のＣＰＵ１１においては、トレーサビリティ管理処理の実行が制御される場合、生成部１０１と、データ管理部１０２と、ウェブ管理部１０３と、表示制御部１０４と、取引支援部１０５とが機能する。
なお、サーバ１の記憶部１８の一領域には、ダイヤモンドＤＢ１８１が設けられている。
【００６２】
生成部１０１は、ダイヤモンドＤのトレーサビリティを証明し得る１以上の証明データＴとしての契約書、発注書、リスト、研磨前の原石、原石研磨プラン、研磨後のダイヤモンドの状態を示すデータ、及び鑑定書データの夫々について、ハッシュ値Ｈを生成する。
【００６３】
データ管理部１０２は、生成部１０１により生成された１以上のハッシュ値Ｈの夫々を、識別可能となるように１以上の証明データＴの夫々に対応付けて、ブロックチェーンＢに記憶させて管理する。また、ブロックチェーンＢに記憶されて管理されている１以上の証明データＴは、ダイヤモンドＤＢ１８１にも記憶される。
【００６４】
ウェブ管理部１０３は、ユーザ端末２からアクセス可能なトレーサビリティビューアＷを管理する。具体的には、ウェブ管理部１０３は、トレーサビリティビューアＷの生成と更新とを行う。
【００６５】
表示制御部１０４は、ユーザ端末２から１以上の証明データＴにアクセスするためのＵＲＬ（Ｕｎｉｆｏｒｍ  Ｒｅｓｏｕｒｃｅ  Ｌｏｃａｔｏｒ）、又は当該ＵＲＬを示すＱＲコード（登録商標）をトレーサビリティビューアＷに表示させる制御を実行する。
【００６６】
取引支援部１０５は、トレーサビリティビューアＷの利用するユーザＵ間におけるダイヤモンドＤの取引の支援を行う。具体的には例えば、取引支援部１０５は、ユーザＵ間におけるダイヤモンドＤの所有権の譲渡の支援として、データ管理部１０２にブロックチェーンＢ上の所有権の変更を行わせる。
【００６７】
以上、本発明の一実施形態について説明したが、本発明は、上述の実施形態に限定されるものではなく、本発明の目的を達成できる範囲での変形、改良等は本発明に含まれるものである。
【００６８】
例えば、上述の実施形態において、本サービスは、ダイヤモンドＤの販売に用いられる、という説明をしたが、特にこれに限定されない。即ち、本サービスは、ダイヤモンドＤ以外の宝石にも適用してもよい。
具体的に例えば、本サービスは、ダイヤモンドＤの他、ルビー、サファイヤ、エメラルド等のトレーサビリティの管理に適用することができる。さらに言えば、宝石に加えて、金塊や美術品など、トレーサビリティの管理の対象となり得るすべての物品に本発明を適用することができる。
【００６９】
また例えば、上述の実施形態において、ブロックチェーン技術として、パブリックチェーンが採用されているが、特にこれに限定されない。即ち、本サービスに採用されるブロックチェーン技術は、パブリックチェーン以外のブロックチェーン技術を適用してもよい。
具体的に例えば、パブリックチェーンやテストネットのほか、プライベート型、コンソーシアム型等での独自のブロックチェーン技術を採用してもよい。
【００７０】
また例えば、上述の実施形態では、ユーザＵは、ユーザ端末２からトレーサビリティビューアＷにアクセスして本サービスを利用しているが、これに限定されない。ユーザＵは、ユーザ端末２にインストールされた、本サービスの利用を可能にする専用のアプリケーションソフトウェアから本サービスを利用することもできる。
【００７１】
また例えば、上述した一連の処理は、ハードウェアにより実行させることもできるし、ソフトウェアにより実行させることもできる。
換言すると、図１１の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図１１の例に限定されない。また、機能ブロックの存在場所も、図１１に特に限定されず、任意でよい。例えば、サーバ１の機能ブロックのうち少なくとも一部をユーザ端末２や図示せぬ他の情報処理装置等が備える構成としてもよい。
また、１つの機能ブロックは、ハードウェア単体で構成してもよいし、ソフトウェア単体で構成してもよいし、それらの組み合わせで構成してもよい。
【００７２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。
また、コンピュータは、各種のプログラムをインストールすることで、各種の機能を実行することが可能なコンピュータ、例えばサーバの他汎用のスマートフォンやパーソナルコンピュータであってもよい。
【００７３】
このようなプログラムを含む記録媒体は、ユーザ等にプログラムを提供するために装置本体とは別に配布される図示せぬリムーバブルメディアにより構成されるだけでなく、装置本体に予め組み込まれた状態でユーザ等に提供される記録媒体等で構成される。
【００７４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００７５】
以上を換言すると、本発明が適用される情報処理装置は、次のような構成を有していれば足り、各種各様な実施の形態を取ることができる。
即ち、本発明が適用される情報処理装置（例えば、図１のサーバ）は、
宝石（例えば図１のダイヤモンドＤ）のトレーサビリティを証明し得る１以上のデータ（例えば上述の、契約書、発注書等）の夫々のハッシュ値（例えば図３Ａのハッシュ値Ｈ）を生成する生成手段（例えば図１１の生成部１０１）と、
前記１以上のデータにアクセスするための情報（例えば図３ＢのＱＲコード（登録商標））を所定のウェブページ（例えば上述のトレーサビリティビューアＷ）に表示させる制御を実行する表示制御手段（例えば図１１のウェブ管理部１０３、表示制御部１０４）と、
を備え、
前記生成手段により生成された前記１以上のハッシュ値の夫々が、識別可能となるように前記１以上のデータの夫々に対応付けられて通信ネットワーク（例えば図１のブロックチェーンＢ）において管理される（例えば図１１のデータ管理部１０２による管理）、
情報処理装置（例えば図１のサーバ１）。
【００７６】
これにより、宝石のトレーサビリティを証明し得る１以上のデータの夫々のハッシュ値が生成される。また、宝石のトレーサビリティを証明し得る１以上のデータの夫々にアクセスするための情報が所定のウェブページに表示される。
その結果、宝石のトレーサビリティが一元管理されるので、耐改ざん性、透明性を高め、電子的な証明書の真正性を担保することが可能となる。
【００７７】
また、前記生成手段は、前記宝石のトレーサビリティを証明し得るデータとして、前記宝石の仕入れ、研磨、製造、輸入、及び販売の夫々の内容を示すデータを生成し、
前記ハッシュ値の識別は、ブロックチェーン技術又は分散台帳を用いて行うことができる。
【００７８】
これにより、宝石のトレーサビリティを証明し得るデータとして、宝石の仕入れ、研磨、製造、輸入、及び販売の夫々の内容を示すデータが生成される。また、ブロックチェーン技術又は分散台帳を用いてハッシュ値の識別が行われる。
その結果、耐改ざん性、透明性をさらに高め、電子的な証明書の真正性を担保することが可能となる。
【００７９】
また、前記所定のウェブページの利用者（例えば図１のユーザＵ）間における前記宝石に関する取引（例えば譲渡）の支援を行う取引支援手段（例えば図１１の取引支援部１０５）をさらに備えることができる。
【００８０】
これにより、所定のウェブページの利用者間における宝石の取引の支援が行われるので、所定のウェブページの利用者の利便性を向上させることができる。
【符号の説明】
【００８１】
１・・・サーバ、２・・・ユーザ端末、１１・・・ＣＰＵ、１２・・・ＲＯＭ、１３・・・ＲＡＭ、１４・・・バス、１５・・・入出力インターフェース、１６・・・入力部、１７・・・出力部、１８・・・記憶部、１９・・・通信部、２０・・・ドライブ、３０・・・リムーバブルメディア、１０１・・・生成部、１０２・・・データ管理部、１０３・・・ウェブ管理部、１０４・・・表示制御部、１０５・・・取引支援部、１８１・・・ダイヤモンドＤＢ、Ｇ・・・サービス提供者、Ｕ・・・ユーザ、Ｎ・・・ネットワーク
【図１】
2021095795.tif 000003
【図２】
2021095795.tif 000004
【図３】
2021095795.tif 000005
【図４】
2021095795.tif 000006
【図５Ａ】
2021095795.tif 000007
【図５Ｂ】
2021095795.tif 000008
【図５Ｃ】
2021095795.tif 000009
【図６】
2021095795.tif 000010
【図７】
2021095795.tif 000011
【図８】
2021095795.tif 000012
【図９】
2021095795.tif 000013
【図１０】
2021095795.tif 000014
【図１１】
2021095795.tif 000015
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
宝石のトレーサビリティを証明し得る１以上のデータの夫々のハッシュ値を生成する生成手段と、
前記１以上のデータにアクセスするための第１情報を所定の第１ウェブページに表示させると共に、前記１以上のデータのうち前記第１情報に基づいてアクセスがなされたデータを含む第２情報を所定の第２ウェブページに表示させる制御を実行する表示制御手段と、
を備え、
前記生成手段により生成された前記１以上のハッシュ値の夫々が、識別可能となるように前記１以上のデータの夫々に対応付けられて通信ネットワークにおいて管理され、
前記生成手段は、前記宝石のトレーサビリティを証明し得るデータとして、前記宝石の仕入れ、研磨、製造、輸入、及び販売の夫々の段階の内容を示すデータであって、各段階毎に、前記宝石の立体的なイメージ画像又は動画像を含むデータを生成し、
前記ハッシュ値の識別がブロックチェーン技術分散台帳を用いて行われ、
前記第２情報には、前記データに加えて、当該データに対する改ざんの有無に関するチェックの結果も含まれる、
情報処理装置。
【請求項２】
前記所定のウェブページの利用者間における前記宝石に関する取引の支援を行う取引支援手段をさらに備える、
請求項１に記載の情報処理装置。
【国際調査報告】
2021095795.tif 000016
2021095795.tif 000017
2021095795.tif 000018
2021095795.tif 000019